(57)【特許請求の範囲】
【請求項１】
瓦積み状態で連続的に搬送されてくるカット紙を、スタック部の昇降可能なパレット上に積み重ねるようにし、該スタック部に対して入抜可能な仮積みフォークの挿入時にスタック部に入ってくるカット紙を一時的に受け止めることで、パレット上に積み重ねられているカット紙の取り出し作業を可能とした印刷機用シータのデリバリ装置において、
前記スタック部は、両側部に位置する幅可変方式のサイドジョガーを具備し、該サイドジョガーは、ジョガーフレームの下部に自重により鉛直面内で垂れ下がるように揺動自在に軸支されるスイングプレートを有し、それによってジョガーフレームの高さの不足が補完され、仮積みフォークの挿入動作が妨げられないようにすると共に、カット紙を瓦積み状態で連続的に搬送する搬送手段と該搬送手段の下方に位置する仮積みフォークとの間で且つスタック部に面した水平方向のほぼ中央位置に、スタック部に対して進退可能で且つ前記サイドジョガーにより揃えられつつある一部のカット紙の後端部を掴み離し可能な上爪と下爪を備えたグリッパ機構を設け、仮積みフォークの挿入動作に先立ってグリッパ機構の上爪と下爪とが共に前進しカット紙後端部の掴み支え動作が行われ、仮積みフォークの挿入動作の完了後にグリッパ機構の上爪と下爪とがカット紙後端部を離して共に後退するようにしたことを特徴とする印刷機用シータのデリバリ装置。
【請求項２】
仮積みフォークは、間隔をあけて並設した３枚の先薄状プレートを有し、前記間隔によってスタック部の入口部に立設された２本の棒状の紙ガイドを避けてスタック部に対して入抜可能とし、中央プレートの先端縁は平面形状が山型をなし且つ側部プレートの先端縁に対して若干突出し、側部プレートは外側ほど後退した平面形状をなし且つ中央プレートに対向する側面の上側縁がテーパもしくはアールに加工されており、それら３枚のプレートが一体となって入抜・昇降可能となっている請求項１記載の印刷機用シータのデリバリ装置。
【発明の詳細な説明】
【０００１】
【発明の属する技術分野】
本発明は、印刷機用シータにおいてカット紙の連続排出動作を行うためのデリバリ装置に関し、更に詳しく述べると、グリッパ機構でカット紙後端部を掴んで支えることにより、仮積みフォークの挿入動作が円滑に行われるようにして損紙とその処理作業が生じないように工夫した印刷機用シータのデリバリ装置に関するものである。
【０００２】
【従来の技術】
印刷機用シータは、高速で供給されてくるウエブを取り込み、取り込んだウエブを所定寸法の枚葉に裁断し、裁断したカット紙を、前のカット紙の上に次のカット紙が積み重なる瓦積み状態で低速搬送して所定の位置（スタック部）に積み重ねる装置である。通常、輪転印刷機の下流側にオンラインで設備されるが、オフラインで設置されることもある。
【０００３】
瓦積み状態で低速搬送手段により連続的に搬送されてくるカット紙は、スタック部でパレット上に積み重ねられていくが、輪転印刷機の動作を中断しないようにしつつ（裁断・搬送動作を継続しながら）、所定枚数積み重ねられたカット紙（メインパイル）を取り出すための機能が付加されている。具体的には、スタック部に対して入抜可能な仮積みフォーク機構を有し、該仮積みフォークの挿入時にスタック部に入ってくるカット紙を受け止め続けることでカット紙の連続排出動作を可能としている。
【０００４】
従来の仮積みフォークは、１０〜１５本の丸棒又は角棒を一定間隔でカット紙の流れ方向に平行に且つ水平に配列した構造であり、低速搬送手段の下方に位置している。メインパイルを取り出す場合、仮積みフォークはスタック部に挿入されて、搬送されてくるカット紙を一時的に受け止めて積み上げておき、その間にパレット上に積み上げられているカット紙（メインパイル）をパレットごと取り出し、次に新しいパレットをスタック部に設置して仮積みフォークの下面に近づけ、次に仮積みフォークをスタック部から引き抜くことで該仮積みフォーク上に載っているカット紙をパレット上に移す。スタック部の入口側には通常２〜４本程度の紙ガイドが立設されており、仮積みフォーク引き抜き時にカット紙は該紙ガイドで止められ、乱れずにパレット上に綺麗に残るようになっている。紙ガイドは固定されているため、仮積みフォークは、スタック部への入抜動作が可能となるようにフォーク構造になっているのである。
【０００５】
更に、スタック部に搬送されてくるカット紙を前後左右の位置を揃えてパレット上に積み上げるために、通常、スタック部の紙ガイドと反対側に出口ジョガーが、またカット紙搬送方向の両側にはサイドジョガーが設置されている。これらはジョガーフレームと振動プレートを有し、積み重ねられていくカット紙の端部に振動を付与して紙揃えする機能を果たす。従って、ジョガーフレーム及び振動プレートは、カット紙が落ち着くまでの範囲である程度の高さをもっている必要がある。
【０００６】
【発明が解決しようとする課題】
ところが従来の仮積みフォーク機構では、カット紙が積み重ねられていく最中にカット紙に向かって挿入するために、仮積みフォークを構成している十数本の丸棒（もしくは角棒）の各先端が全て揃って同じカット紙の間に挿入されることは殆ど無い。積み重ねられているカット紙は完全に水平ではなく、幅方向に不規則にカールしていることも、その要因の一つである。従って、仮積みフォークは少なくとも数枚、多ければ数十枚のカット紙を押し出す形で挿入されて皺くちゃになってしまい、押し出されたカット紙は損紙となる。
【０００７】
このような事態はメインパイル取り出し作業の度に繰り返されるので、損紙発生量は非常に多くなり、コスト高、効率低下をもたらす。特に、高速運転になるほど、積み上げられつつあるカット紙を乱さずに損紙を抜き取る作業は難しくなり、更に損紙の発生量は大きくなる。そのため作業者には非常に高度な熟練が要求され、これが印刷機用シータの一つの大きな問題となっている。
【０００８】
本発明の目的は、高速運転中であっても、仮積みフォーク前進時における損紙発生を無くし、未熟練作業者でも効率よくメインパイル取り出し作業が行える印刷機用シータのデリバリ装置を提供することである。
【０００９】
【課題を解決するための手段】
本発明は、瓦積み状態で連続的に搬送されてくるカット紙を、スタック部の昇降可能なパレット上に積み重ねるようにし、該スタック部に対して入抜可能な仮積みフォークの挿入時にスタック部に入ってくるカット紙を一時的に受け止めることで、パレット上に積み重ねられているカット紙の取り出し作業を可能とした印刷機用シータのデリバリ装置である。本発明では、前記スタック部は、両側部に位置する幅可変方式のサイドジョガーを具備し、該サイドジョガーは、ジョガーフレームの下部に自重により鉛直面内で垂れ下がるように揺動自在に軸支されるスイングプレートを有し、それによってジョガーフレームの高さの不足が補完され、仮積みフォークの挿入動作が妨げられないようにすると共に、カット紙を瓦積み状態で連続的に搬送する搬送手段と該搬送手段の下方に位置する仮積みフォークとの間で且つスタック部に面した水平方向のほぼ中央位置に、スタック部に対して進退可能で且つ前記サイドジョガーにより揃えられつつある一部のカット紙の後端部を掴み離し可能な上爪と下爪を備えたグリッパ機構を設け、仮積みフォークの挿入動作に先立ってグリッパ機構の上爪と下爪とが共に前進しカット紙後端部の掴み支え動作が行われ、仮積みフォークの挿入動作の完了後にグリッパ機構の上爪と下爪とがカット紙後端部を離して共に後退するようにしており、その点に特徴がある。
【００１０】
本発明において仮積みフォークは、間隔をあけて並設した３枚の先薄状プレートを有し、前記間隔によってスタック部の入口部に立設された２本の棒状の紙ガイドを避けてスタック部に対して入抜可能とし、中央プレートの先端縁は平面形状が山型をなし且つ側部プレートの先端縁に対して若干突出し、側部プレートは外側ほど後退した平面形状をなし且つ中央プレートに対向する側面の上側縁がテーパもしくはアールに加工されており、それら３枚のプレートが一体となって入抜・昇降可能となっている構造が好ましい。
【００１２】
【実施例】
図１に印刷機用シータの一例の全体構成を示す。また図２に、本発明に係るデリバリ装置の一実施例の概略構成を示す。印刷機用シータは、輪転印刷機から高速で排出されるウエブを取り込むインフィード部１０と、取り込んだウエブ１１を所定寸法の枚葉に裁断するカット部１２と、該カット部１２の下流側に設けた高速搬送手段１３と、カット紙を瓦積み状態で搬送する低速搬送手段１４と、カット紙１５を積み重ねるスタック部１６を具備し、全体が筐体１７で覆われている。スタック部１６とその周辺に位置する各種の付属機構を含めてデリバリ装置が構成される。
【００１３】
インフィード部１０は、複数のフリーローラ、ドローローラ、ニップローラなどからなるウエブ取り込み機構と各種センサ等を有し、輪転印刷機から高速で排出されるウエブ１１を適切にカット部１２に送り込む部分である。カット部１２は、下側の固定刃１８と上側のカッタシリンダに装着された回転刃１９を有し、輪転印刷機と同速で回転することでウエブ１１を所定寸法の枚葉に裁断する部分である。高速搬送手段１３は、第１エアブロー２０、上第１バキュームドラム２１ａ、上第２バキュームドラム２１ｂなどを具備し、ウエブ１１を緊張状態で搬送することでカット部１２での裁断精度を向上させると共に、裁断後のカット紙後端部を同期回転するスナッパ２２で低速搬送手段１４側に押し付ける部分である。
【００１４】
低速搬送手段１４は、前方のプーリ２３，２４と後方のバキュームドラム２５の間にバキュームベルト２６を掛け渡し（図３及び図４参照）、該バキュームベルト２６の内側上部にバキュームボックス２７を設置すると共に、上方に第２エアブロー２８を設置した構造である。図３はスタック部と低速搬送手段の平面図であり、図４は側面図である。以上の手段によって、カット紙の速度はウエブライン速度の１／１０〜１／２０程度に減速される。スナッパ２２で押し付けられたカット紙が瓦積み状態に互いに一部オーバラップし、カット紙後端側の４０mm程度がバキュームベルト２６に吸着されつつ、カット紙先端部上面を第２エアブロー２８によるコアンダ効果で引かれて、次のスタック部１６へと順次搬送される。
【００１５】
また、前記バキュームボックス２７の先端には、図示していないが、出口側（スタック部）に向かって且つ水平方向に８〜１０個のエアノズルが配列されている。各エアノズルは、その断面形状が水平方向にフラットであり、それによってスタック部１６に積み重ねられるカット紙とカット紙の僅かな隙間に、より効率的に空気を流し込むことを可能とし、紙揃いの効果をより増大させている。なお、各エアノズルには、流量制御バルブがそれぞれ取り付けられており、個別に制御できるようにし、且つ供給側にレギュレータを設けて全体の供給圧力を調節できるようにして、様々な紙質、紙厚に対応可能としている。
【００１６】
スタック部は、図２に示すように、入口部に立設された２本の棒状の紙ガイド３０と、出口部で各紙ガイド３０にそれぞれ対向して位置する２個の出口ジョガー３１と、カット紙の流れ方向の左右に位置する一対の幅可変方式のサイドジョガー３２（図３参照）とを具備し、それらによってスタック部１６に入ってくるカット紙が揃えられ、下部に位置するパレット３３上に積み重ねられるカット紙を昇降可能なパレット昇降機構が設けられている。このようなスタック部１６に近接して、仮積みフォーク機構及びグリッパ機構などが付設されてメインパイルの取り出し作業を可能としたデリバリ装置が構成される。
【００１７】
スタック部１６の底部に位置するメインパイル昇降プレート３４上に設置したパレット３３上にカット紙１５が積み上げられる。メインパイル昇降プレート３４は、４本のチェーン３５で吊られており、各チェーン３５はスプロケット３６を介して他端にバランスウエイト３７が接続され、スプロケット３６はメインパイル昇降モータ３８で駆動される。これによって、パレット３３上にカット紙１５を載せ、その上面レベルをほぼ一定に保ちつつ自動降下できるようになっている。
【００１８】
低速搬送手段のバキュームボックス２７の下方のスタック部１６に面したほぼ中央位置に、スタック部１６に対して進退可能で且つ揃えられつつある一部のカット紙１５の後端部を掴み離し可能なグリッパ機構４０が設けられる。図５に詳細に図示されているように、グリッパ機構４０は、上爪４１と下爪４２がリンク機構４３で結合され、エアシリンダ４４によって下爪４２が上下動可能であり、且つ上爪４１と下爪４２を取り付けたブラケット４５がスライドシリンダ４６の可動部に結合されて全体が２０〜３０mm程度スタック部方向に前進できるように水平動（前後動）可能となっている。上爪４１と下爪４２の組み合わせからなるグリッパは、積み重ねられつつあるカット紙に挿入しやすいように、先端が平面的に見て山型となるように左右に角度を付け且つ先薄状とする。ここでは上爪４１の上面及び下爪４２の下面にテーパを付けて先薄状としている。なお、カット紙の束の掴み支えを確実にするために、下爪４２の幅は７０〜１２０mm程度で、下爪４２の方を上爪４１よりも幅広（例えば２〜３倍）とし、且つ上爪４１と下爪４２の対向面の中間部には凹部を設けている。このグリッパ機構４０は、カット紙後端部を一時的に掴み支えする機能を果たす。
【００１９】
仮積みフォーク５０は、前記グリッパ機構４０の更に下方（低速搬送手段の下方）に位置し、図６の平面図及び図８の正面図に示すように、紙ガイド３０の幅よりも若干広い間隔をあけて並設した３枚の先薄状プレート（中央プレート５１と両側の側部プレート５２）を、それらの後端でフォークベース５３で連結して一体化した構造である。プレート同士の隙間によってスタック部の入口部に立設された２本の棒状の紙ガイド３０を避けてスタック部１６に対して挿入可能となっている。フォークベース５３は、フォーク昇降ベッド５４上のレール５５に直動ガイド５６を介して搭載されており、複数のプーリ５７と水平動タイミングベルト５８及びフォーク水平動モータ５９によって仮積みフォーク５０がスタック部１６に対して入抜可能となっている。そのため、仮積みフォーク５０の長さは、スタック部への挿入時に仮積みフォーク先端が出口ジョガー３１に達し、スタック部からの引き抜き時にはフォーク先端がスタック部から抜け出るように、カット紙の長さ以上とする。また、フォーク昇降ベッド５４は、昇降チェーン６０及びフォーク昇降モータ６１等によって昇降可能に構成されている。
【００２０】
ここで仮積みフォーク５０の中央プレート５１の先端縁は平面形状が山型で、側部プレート５２の先端縁はそれに対して若干後退し且つ側方が更に後退して、３枚のプレート全体としても平面形状が山型をなしている。また、両側部プレート５２の中央プレート５１に対向する側面の上側縁６４はテーパもしくはアールに加工されている。なお、中央プレート５１及び側部プレート５２の先端側面形状は、図７に示すように、先端上面に小さなテーパが形成され、先端下面に大きなテーパが形成された形状であり、それによって挿入しやすく且つカット紙を水平に保持できるような先薄状となっている。仮積みフォーク５０を少数枚のプレートで構成することにより、カット紙がフォーク構成要素の間（プレート隙間）に入り込み難くなる。
【００２１】
本実施例では、中央プレート５１と側部プレート５２の上面にはフォーク入抜方向に多数の平行溝（矩形断面）６６が形成され、結果的に溝間に矩形断面の平行突条６７が形成されている。これら多数の凹凸条は、フォーク入抜時にカット紙との密着を防ぎ、カット紙積み重ね状態を乱さないようにする機能を果たす。滑りを更に良くするためには、突条部分に滑り性の良好な材料（例えばフッ素樹脂やポリエチレン樹脂など）からなるテープを貼着したり膜を形成するのが好ましい。テープが厚い場合（例えば厚み１mm程度もしくはそれ以上の場合）には、プレートに溝を形成することなく、平坦なプレート上面に所定幅のテープを平行に貼り付けるだけでもよい。
【００２２】
サイドジョガー３２は、ジョガーフレーム７０の内側中央に面一の振動プレート７１が嵌め込まれ、該振動プレート７１にはエアバイブレータ７２が接続されている。ジョガーフレーム７０は、カット紙を案内するように、内側面の上縁と側縁は面取りされている。エアバイブレータ７２によって振動プレート７１が振動しカット紙の側面に対して往復運動することで相手方のジョガーフレーム７０との間でカット紙を徐々に揃える。このような機能を有するサイドジョガー３２は、前記のように幅可変方式である。図示しないが、具体的には、モータと送り機構によって紙幅方向に移動可能となっており、輪転印刷機の適用最小紙幅から最大紙幅まで対応可能になっている。
【００２３】
ところで、カット紙が完全に落ち着いて左右のずれが無くなるためには、ジョガーフレーム７０は上下方向にある程度の高さ（エアブローの下面から１５０mm程度）は必要である。他方、仮積みフォーク５０の上面は極力上方にあって、バキュームボックス２７の先端側プーリ２３に近づけて落差を小さくした方がカット紙の揃いがよくなる。このため、仮積みフォーク５０とサイドジョガー３２とが干渉しないように工夫する必要がある。
【００２４】
そこで本発明では、ジョガーフレーム７０の下方を短くし、該ジョガーフレーム７０の内側の下部には、自重により鉛直面内で垂れ下がるように揺動自在にシャフト７４により軸支される２個の下端が半円形のスイングプレート７５を間隔をおいて（振動プレート７１の両側に）ジョガーフレームの内面と面一に設け、それによってジョガーフレーム７０の高さの不足が補完され、必要な下部長さ分を確保し、横方向のカット紙ずれを防止するように構成している。スイングプレート７５は揺動自在に支持されているために、仮積みフォーク５０の挿入動作が妨げられることはない。つまり、幅の狭いカット紙を揃えるために、サイドジョガー３２を中央寄せしている場合でも、仮積みフォーク５０はスイングプレート７５を押し上げながら挿入可能である。しかもスイングプレート７５は、仮積みフォーク５０が自動降下していく場合も自然と下方に垂れ下がり、一点で仮積みフォーク５０の上面に接し、横方向へのカット紙ずれを防止する。
【００２５】
この構成は、仮積みフォークを分割したプレートで構成している本発明では特に有効である。両側部プレート５２の外端縁間の距離はカット紙幅よりも常に幅広であり、しかもサイドジョガー３２は幅可変構造であるため、従来同様の下方に長いジョガーフレーム構造ではサイドジョガーが仮積みフォークの挿入動作を妨げるからである。また、スイングプレート７５は、ストッパピン７６によって斜め下方の揺動範囲が制限されて、僅かに前下方に傾斜を持たせた状態で垂れ下がるように保持したことで、仮積みフォーク５０又はパレット３３が不用意に上方に移動してスイングプレート７５に接触しても、該スイングプレート７５は容易に回動できる。また、サイドジョガーには、図示していないが、上下方向に移動可能なように、シャフト及びガイドと移動検出センサが設けられており、仮積みフォーク又はパレットを不用意に上昇させてサイドジョガーと接触しても、過度に押し上げられないように、それぞれの昇降モータを停止させる回路が組み込まれている。これらにより、サイドジョガーや仮積みフォークなどの損傷発生を防止できる。
【００２６】
また、スイングプレート７５を設けたことにより、仮積みフォークの幅を紙幅に合わせて調整する操作が不要となり（従来技術では仮積みフォークを構成している多数の棒のうちの外側の１乃至数本を取り外す操作を必要としていた）、そのための不便さも解消される。少量多品種の生産が多い現在、仮積みフォークの着脱を要しない本実施例の構成は、オペレータの負担軽減と作業効率の向上効果が大きい。
【００２７】
なお、出口ジョガー３１も、ジョガーフレームの内側に面一の振動プレートが位置し、該振動プレートにエアバイブレータの振動が作用するように構成されている。
【００２８】
次に本デリバリ装置の一連の動作について、順を追って説明する。
【００２９】
スナッパ２２で低速搬送手段１４上に瓦積みされたカット紙は、その後端部下面でバキュームベルト２６を介してバキュームボックス２７に吸引されつつ、先端部上面を第２エアブロー２８によるコアンダ効果で前方に引かれて進む。第２エアブロー２８よりも前方では、カット紙は徐々に降下し、出口ジョガー３１に突き当たる。カット紙の後端は、スタック部入口に面しているバキュームボックス２７の先端のプーリ２３を回りきって、全体としてパレット３３に向かって下降を始める。その際、出口ジョガー３１と紙ガイド３０及び両方のサイドジョガー３２によって、前後方向並びに横方向の紙揃えが行われる。この時、バキュームボックス２７の先端に配置され、スタック部方向に水平に向けられているエアーノズルから空気が吹き出され、その空気がカット紙とカット紙の間に入り、密着を防止しつつ紙揃えが容易に行われるようにする。
【００３０】
パレット３３上に移ったカット紙は、上面レベルがほぼ一定に保たれるようにメインパイル昇降モータ３８によって制御され、カット紙の積み重ねが進むにつれて、メインパイル昇降プレート３４は徐々に降下していく。この間、サイドジョガー３２のスタック部入口側に設置されているテープインサータ８０により、５００枚あるいは１０００枚など、所定のカット紙枚数毎にテープを送り出してカット紙間に挿入すると、それが出来高管理の目安となる。部数のカウントは、シータ駆動部に設けられた回転検出センサ（図示せず）からの信号により行う。カット紙の積み重ねが更に進んでメインパイル昇降プレート３４が床面に対して１００mm程度の高さに近づいたところでグリッパ駆動スイッチをオンする。
【００３１】
すると、バキュームボックス底部に位置するグリッパ機構４０のスライドシリンダ４６によってブラケット４５がスタック部に向かって前進する（図９のＡからＢ参照）。上爪４１と下爪４２が共に前進し、スタック部入口側からカット紙１５の間に入る。次に、ブラケット４５の一端に軸支されているエアシリンダ４４が作動（伸長）し、リンク機構４３を介して下爪４２が上昇し、カット紙（数枚乃至数十枚）の後端部を掴み支える。引き続いて、メインパイル昇降モータ３８が動作し、予め設定され量（約５０mm）だけ降下する。これによりグリッパ機構４０の下爪４２の下方に空間が生じる（図９のＣ参照）。
【００３２】
次に、その状態で、仮積みフォーク５０が前記の空間に向かって挿入される。フォーク水平動モータ５９によって、プーリ５７、タイミングベルト５８、レール５５、直動ガイド５６を介して『高速』で前進し、先端が出口ジョガー３１の約５０mm手前まで進み、減速センサ（図示せず）に近接すると『低速』に切り替わって更に前進し、次いで停止センサ（図示せず）に達することで正確な位置に停止する。この時、上方のカット紙はグリッパ機構４０の上爪４１と下爪４２で掴み支えられているのでずれることはない。また下方のカット紙は出口ジョガー３１によって規制されているのでずれることもない。仮積みフォーク５０は、グリッパ機構４０で支えられているカット紙と下方のカット紙との隙間（入口側に設けられた５０mm程度の隙間）に侵入するため、仮積みフォーク５０が前進してもカット紙は乱されない。
【００３３】
仮積みフォーク５０が前進し所定の停止位置に停止すると、グリッパ機構４０のエアシリンダ４４が戻って（収縮して）下爪４２が下方に下がりグリッパが開き、カット紙の後端部を開放する。次にグリッパ機構４０のスライドシリンダ４６が自動的に停止位置に戻る。上爪４１と下爪４２が共にカット紙入口側から離れて、グリッパに掴まれていたカット紙は仮積みフォーク５０上に降りる。
【００３４】
その後、仮積みフォーク５０のカット紙の上面レベルはレベルセンサ（図示せず）により検出される。そして、仮積みフォーク５０は、フォーク昇降モータ６１によって、スプロケット、昇降チェーン６０、レールガイド等を介して駆動されて、カット紙上面レベルが常に一定範囲内に保たれるように自動降下する。
【００３５】
この間にメインパイル昇降モータ３８により、メインパイル昇降プレート３４を降下させ、積み重ねられているカット紙（メインパイル）をパレット３３と共に外部に引き出す。次にメインパイル昇降プレート３４上に新しいパレットを紙ガイドに接するように、所定の位置に置く。仮積みフォーク５０上にカット紙が積まれて自動降下を繰り返し、仮積みフォーク５０の上面が出口ジョガー３１の下面よりも十分下方に（約５０mm下方に）位置したときに、パレット３３を載せたメインパイル昇降プレート３４の上昇スイッチをオンし、パレット３３の上面を仮積みフォーク５０の下面に対して約１０mm近くまで寄せて停止する。
【００３６】
仮積みフォーク５０上に更にカット紙が積まれて仮積みフォーク下面がパレット上面に接触する間際まで自動降下したところで、仮積みフォーク後退スイッチをオンする。仮積みフォーク５０は『高速』で後退し、最終後退位置の約５０mm手前で減速センサ（図示せず）により『低速』に移行し、次に停止センサ（図示せず）により所定の位置まで後退して停止する。仮積みフォーク５０が後退する際、カット紙はスタック部入口にあって常にカット紙後端に接している紙ガイド３０に遮られるために、仮積みフォーク５０に引きずり出されることなくパレット３３上に移される。次に、仮積みフォーク５０は自動的に上昇し、本来の待機位置で自動停止する。
【００３７】
この状態で、カット紙はパレット３３上に積まれていく。スタック部上部のカット紙の上面レベルを一定位置に保ちつつ、パレット３３（メインパイル昇降プレート３４）は自動降下を続ける。以下、このような操作を繰り返し、印刷機用シータをノンストップ運転（カット紙連続排出動作）する。但し、輪転印刷機を緩動より運転開始していく際は、スタック部に仮積みフォークを前進させてカット紙を受け取る状態から行うのがよい。その理由は、仮積みフォーク上面の最高レベルのほうがパレット上面の最高レベルよりも高く、低速搬送手段とのレベル差が小さいため、運転初期にカット紙が揃いやすいからである。
【００３８】
上記の一連の動作は、各種センサからの信号を利用して全て自動運転することもできるし、一部の動作を手動で行ってもよい。自動的に行わせる動作についても、テスト的にあるいは必要に応じて手動操作可能とするのがよい。
【００３９】
以上、本発明の好ましい一実施例について詳述したが、本発明はかかる構成に限られるものではない。前提となる印刷機用シータの具体的構成（例えばインフィード部、カット部、高速搬送手段、低速搬送手段など）は任意であってよい。上記の実施例では、グリッパの上爪を下爪よりも幅広にしているが、カット紙を掴み支えできる構造であれば、形状や駆動機構などは任意であってよい。仮積みフォークの形状や駆動機構なども適宜変更できる。スイングプレートはストッパピンによって斜め下方の揺動範囲が制限されるようにしているが、ジョガーフレームのスイングプレート組み込み凹部の形状を変えることでストッパ機能を付与することもできる。あるいはスイングプレートの下端形状を非対称形などに工夫することで、ストッパピンなどを用いなくても、仮積みフォークの予期せぬ上昇時に、スイングプレートが容易に回動して損傷発生を避ける手法も可能である。
【００４０】
【発明の効果】
本発明は上記のように、仮積みフォークの挿入動作に先立ってグリッパによるカット紙後端部の掴み支え動作を行うように構成したことにより、高速運転中であっても、仮積みフォーク挿入時における損紙発生をほぼ完全に無くすことができ、未熟練作業者でも効率よく仮積み作業を行うことが可能となる。
【００４１】
仮積みフォークは、２本の棒状の紙ガイドを避けるように間隔をあけて並設した３枚のプレートを有する構造をなし、またサイドジョガーは、ジョガーフレームの下部に自重により鉛直面内で垂れ下がるように揺動自在に軸支されるスイングプレートを有し、ジョガーフレームの高さの不足が補完されている構造をなしており、そのため任意の紙サイズに対応してサイドジョガーが幅可変したときでも、従来のように仮積みフォークの一部を脱着する必要が無くなり、しかも仮積みフォークがプレート状であるためにカット紙が幅方向でカールしていても巻き込まれる恐れが無くなり、それらによって作業効率は著しく改善される。
【図面の簡単な説明】
【図１】印刷機用シータの一例の全体概略構成を示す説明図。
【図２】本発明に係るデリバリ装置の一実施例の概略構成図。
【図３】スタック部と低速搬送手段の平面図。
【図４】その側面図。
【図５】グリッパ機構の説明図。
【図６】スタック部と仮積みフォークの平面図。
【図７】仮積みフォークの先端部の拡大側面図。
【図８】スタック部と仮積みフォークの正面図。
【図９】グリッパ機構の動作説明図。
【符号の説明】
１１  ウエブ
１４  低速搬送手段
１５  カット紙
１６  スタック部
３０  紙ガイド
３１  出口ジョガー
３２  サイドジョガー
３３  パレット
４０  グリッパ機構
４１  上爪
４２  下爪
５０  仮積みフォーク
５１  中央プレート
５２  側部プレート
７０  ジョガーフレーム
７１  振動プレート
７５  スイングプレート
７６  ストッパピン
【図１】
0003847662.tif 000002
【図２】
0003847662.tif 000003
【図３】
0003847662.tif 000004
【図４】
0003847662.tif 000005
【図５】
0003847662.tif 000006
【図６】
0003847662.tif 000007
【図７】
0003847662.tif 000008
【図８】
0003847662.tif 000009
【図９】
0003847662.tif 000010